(57)【要約】【課題】読み取りの前にプレビュー動作を行う必要をなくす。【解決手段】読み取り装置１は、読み取り対象物２に対向して近接配置される透明材料の第１面１１、及び、第１面１１から反対側に離間して配置される透明材料の第２面１２、を備え、読み取り対象物２が当該第１面１１及び第２面１２越しに視認可能となるように構成された装置本体１０を有し、第２面１２に対する接触操作を検出し、その検出結果に応じて、第２面１２での接触操作により指定された第２面１２の領域範囲を認識する。また、第２面１２に設けられ所望の表示を行うタッチパネルが設けられ、上記領域範囲を表示するようにタッチパネルが制御される。さらに、第１面１１のうち上記領域範囲に対応した領域を介して、読み取り対象物２に記録された画像Ｒを読み取り、対応する画像情報を生成するスキャナ部２５が設けられる。【選択図】図１
2012231328.tif 000002
【特許請求の範囲】
【請求項１】
読み取り時において読み取り対象物に対向して近接配置される透明材料の第１面、及び、前記第１面から前記読み取り対象側と反対側に離間して配置される透明材料の第２面、を備え、前記第１面に対向して配置された前記読み取り対象が当該第１面及び前記第２面越しに視認可能に構成された装置本体と、
前記第２面に対する操作者の接触操作を検出する操作検出手段と、
前記操作検出手段の検出結果に応じて、前記第２面での接触操作により指定された当該第２面の領域範囲を認識する領域認識手段と、
前記第２面に設けられ、所望の表示を行う表示手段と、
前記領域認識手段で認識された前記領域範囲を表示するよう、前記表示手段を制御する第１表示制御手段と、
前記第１面のうち、前記領域認識手段で認識された領域範囲に対応した領域を介して、前記読み取り対象物を読み取り、対応する画像情報を生成する読み取り手段と、
を有することを特徴とする読み取り装置。
【請求項２】
請求項１記載の読み取り装置において、
前記読み取り手段による前記読み取り動作の開始を操作指示するための開始操作手段を有する
ことを特徴とする読み取り装置。
【請求項３】
請求項２記載の読み取り装置において、
前記開始操作手段により前記操作指示があった場合に、前記第２面の全面領域にマスキング表示を行うように、前記表示手段を制御する第２表示制御手段を有する
ことを特徴とする読み取り装置。
【請求項４】
請求項２又は請求項３記載の読み取り装置において、
前記操作検出手段の検出結果に応じた文字認識を行う文字認識手段と、
前記文字認識手段で認識された文字を表示するよう、前記表示手段を制御する第３表示制御手段と、
前記文字認識手段で認識された文字に対応したテキスト情報を、前記読み取り手段により生成された前記画像情報に対し追加する又は前記画像情報と合成する、テキスト処理手段と、
を有することを特徴とする読み取り装置。
【請求項５】
請求項２乃至請求項４のいずれか１項記載の読み取り装置において、
前記操作検出手段の検出結果に応じた軌跡認識を行う軌跡認識手段と、
前記軌跡認識手段で認識された軌跡を表示するよう、前記表示手段を制御する第４表示制御手段と、
前記軌跡認識手段で認識された軌跡に対応した軌跡情報を、前記読み取り手段により生成された前記画像情報に対し追加する又は前記画像情報と合成する、軌跡処理手段と、
を有することを特徴とする読み取り装置。
【発明の詳細な説明】
【技術分野】
【０００１】
本発明は、読み取り対象物に対し光学的に読み取りを行う読み取り装置に関する。
【背景技術】
【０００２】
読み取り対象物に対し光学的に読み取りを行う装置として、例えば特許文献１に記載の読み取り装置が知られている。
【０００３】
この従来技術の読み取り装置は、略箱状の装置本体（情報処理装置本体）を備えている。装置本体の表側には表示手段（ディスプレイ部）が設けられ、裏側には読み取り手段（スキャナ部）が設けられている。このように、装置本体に表示手段及び読み取り手段を一体化することにより、装置全体の小型化・軽量化が図れている。
【先行技術文献】
【特許文献】
【０００４】
【特許文献１】特開平５−１０６４５号公報
【発明の概要】
【発明が解決しようとする課題】
【０００５】
一般的に、光学的に読み取りを行う読み取り装置においては、一般的に、プレビュー動作が必須である。すなわち、読み取り対象物に対し、まず読み取り手段によって読み取りが行われ、当該読み取り結果が表示手段にプレビュー画像として表示される。操作者は、表示手段の上記プレビューを視認した状態で、適宜の操作手段を操作することで、上記プレビュー画像のうち自らが読み取りを行いたい部分を示す操作（例えば当該部分を囲む操作）を行う。これにより、読み取り手段が、読み取り対象物のうち、上記操作に対応した部分に対し再度読み取りを行う。
【０００６】
上記のように、光学的に読み取りを行う読み取り装置においては、通常、画像読み取りの前にその都度プレビュー動作を行う必要があった。このプレビュー動作の必要をなくすことができれば、操作労力を低減できるとともに読み取り処理の迅速化を図ることができるが、上記従来技術では、そのような点については特に配慮されていなかった。
【０００７】
本発明の目的は、読み取りの前にプレビュー動作を行う必要をなくし、操作労力の低減及び読み取り処理の迅速化を図ることができる読み取り装置を提供することにある。
【課題を解決するための手段】
【０００８】
上記目的を達成するために、本願発明は、読み取り時において読み取り対象物に対向して近接配置される透明材料の第１面、及び、前記第１面から前記読み取り対象側と反対側に離間して配置される透明材料の第２面、を備え、前記第１面に対向して配置された前記読み取り対象が当該第１面及び前記第２面越しに視認可能に構成された装置本体と、前記第２面に対する操作者の接触操作を検出する操作検出手段と、前記操作検出手段の検出結果に応じて、前記第２面での接触操作により指定された当該第２面の領域範囲を認識する領域認識手段と、前記第２面に設けられ、所望の表示を行う表示手段と、前記領域認識手段で認識された前記領域範囲を表示するよう、前記表示手段を制御する第１表示制御手段と、前記第１面のうち、前記領域認識手段で認識された領域範囲に対応した領域を介して、前記読み取り対象物を読み取り、対応する画像情報を生成する読み取り手段と、を有することを特徴とする。
【０００９】
本願発明の読み取り装置は、読み取り時に読み取り対象物側に配置される第１面と読み取り時に操作者側に位置する第２面とを備えた、装置本体を有する。第１面、第２面は透明材料で構成されている。これにより、装置本体の第１面を読み取り対象物に対向して配置した状態で、操作者は、その反対側に配置された第２面側から、当該第２面及び上記第１面越しに、読み取り対象物を視認することができる。この視認した状態で、操作者は、第２面に対し指先やペンなどを接触させ、上記視認された画像のうち自らが読み取りを行いたい部分を示す操作（例えば当該部分を囲む操作）を行う。これにより、当該接触操作が操作検出手段によって検出され、さらにその検出結果に基づき上記読み取りを行いたい部分が領域範囲として領域認識手段によって認識される。このとき、当該認識された領域範囲は、第１表示制御手段の制御に基づき表示手段により表示されるので、操作者は自らの意図する部分が認識されたことを確認することができる。その後、読み取り手段が、上記認識された領域範囲に対応した第１面の領域を介し、読み取り対象物を読み取る。
【００１０】
以上のようにして、本願発明においては、透明材料で構成された装置本体越しに読み取り対象物を視認しつつ、接触操作によって読み取り実行領域の設定を行い、画像読み取りを行うことができる。この結果、従来構造のように画像読み取りの前にその都度プレビュー動作を行う必要がなくなるので、操作労力の低減及び読み取り処理の迅速化を図ることができる。
【発明の効果】
【００１１】
本発明によれば、読み取りの前にプレビュー動作を行う必要をなくし、操作労力の低減及び読み取り処理の迅速化を図ることができる。
【図面の簡単な説明】
【００１２】
【図１】本発明の一実施形態による読み取り装置を表す斜視図である。
【図２】読み取り装置の機能的構成を表す機能ブロック図である。
【図３】読み取り対象物が配置された状態の読み取り装置を表す平面図である。
【図４】第２面に対し所定のマスキング表示を行った状態の読み取り装置を表す平面図である。
【図５】第２面に対し所定のマスキング表示を行った状態の読み取り装置を表す斜視図である。
【図６】読み取り終了後に第２面にコメント欄を表示した状態の読み取り装置を表す平面図である。
【図７】読み取り装置によって画像を読み取る際に処理制御部のＣＰＵによって実行される制御内容を表すフローチャートである。
【発明を実施するための形態】
【００１３】
以下、本発明の一実施の形態を図面を参照しつつ説明する。
【００１４】
本実施形態の読み取り装置を図１及び図２を用いて説明する。本実施形態の読み取り装置１は、読み取り対象物２を読み取るための直方体状の装置本体１０を備えている。
【００１５】
装置本体１０は、その上下面を除く周囲を読み取り装置１の筐体３によって囲まれている。筺体３の長手方向一方側(図１では右側)には、装置本体１０に隣接する処理制御部４が内側に設けられている。筐体３のさらに外側の長手方向一方側の側面には、ＵＳＢケーブル等を介してプリンタ、パーソナルコンピュータなどの外部機器が接続される外部接続部６が設けられている。筐体３の上記処理制御部４の上面には、電源ボタン５ａ、読み取り開始ボタン５ｂ（開始操作手段）、コメントボタン５ｃ等を含む各種操作ボタン５が設置されている（後述の図３も参照）。
【００１６】
処理制御部４は、ＣＰＵ２０と、ＲＡＭ２１と、ＲＯＭ２２と、インターフェース（図中では「Ｉ／Ｆ」と略記している）２３と、スキャナ部(読み取り手段)２５とを有している。
【００１７】
スキャナ部２５は、読み取り対象物２を公知の方式で１ラインごとに読み取り、読み取った画像に対応する画像信号を生成する。
【００１８】
ＣＰＵ２０は、ＲＡＭ２１の一時記憶機能を利用しつつ、ＲＯＭ２２に記憶されたプログラムを実行することにより、読み取り装置１全体の動作を制御する。ＲＯＭ２２には、読み取り装置１の制御上必要な各種プログラム（後述の図７のフローを実行するためのプログラムを含む）が格納されている。
【００１９】
インターフェース２３は、読み取り対象物２から読み取られた画像を、パーソナルコンピュータやプリンタ等の外部機器２４に提供するためのインターフェースである。このインターフェース２３は、例えば、Ｕｎｉｖｅｒｓａｌ  Ｓｅｒｉａｌ  Ｂｕｓ（ＵＳＢ）接続のためのＵＳＢインターフェースや、ＳＤカードなどのメモリカードスロットや、無線又は有線のネットワークインターフェースなどから構成され、外部接続部６に接続されている。
【００２０】
また、上記装置本体１０は、読み取り時に読み取り対象物２に対向して近接配置される第１面１１（図１では下側に位置する）と、上記第１面１１から読み取り対象物２側と反対側に離間して配置される、操作者側となる第２面１２（図１では上側に位置する）とを備えている。そして、これら第１面１１及び第２面１２は透明材料で構成されている。
【００２１】
上記第１面１１は、処理制御部４に設けられた上記スキャナ部２５が読み取り対象物２を読み取る際、スキャナ部２５が第１面１１を介して読み取り対象物２を読み取れるように構成されている。上記第２面１２は、表示機能を有する公知のタッチパネル（表示手段として機能する）として構成されている。
【００２２】
上記構成において、読み取り装置１を使用して読み取り対象物２を読み取る際には、読み取り対象物２上で装置本体１０の第１面１１が読み取り対象物２に対向して配置される。これにより、図３に示すように、操作者は、読み取り対象物２の反対側に配置された第２面１２側から、当該第２面１２及び上記第１面１１越しに、読み取り対象物２、特に記録された画像Ｒ(この例ではひらがなの五十音表)を視認することができる。
【００２３】
そして、その視認した状態で、操作者は、第２面１２に対し指先やペンなどを接触させ、上記視認された画像Ｒのうち自らが読み取りを行いたい部分Ｒ１(この例では、五十音表の「か」の段から「ほ」の段までの部分)を指定する操作、例えば当該部分を囲む操作を行う。すると、第２面１２に対する当該接触操作が処理制御部４によって検出され、さらにその検出結果に基づき上記読み取りを行いたい部分Ｒ１（すなわち指定した画像部分）が第２面１２上の領域範囲として処理制御部４によって認識される。また、処理制御部４の制御に基づき第２面１２に、上記認識された領域範囲を囲む例えば枠１３が表示される。これにより、操作者は自らの意図する部分が認識されたことを確認することができる。
【００２４】
その後、操作者が、読み取り装置１の読み取り開始ボタン５ｂを押すことで、処理制御部４に対し読み取り動作の開始が操作指示される。これにより、上記認識された領域範囲を読み取る際の、光の乱反射を最小限に抑制するために、処理制御部４により第２面１２が制御されて、図４及び図５に示すように、第２面１２の全面にマスキング表示１４が行われる。その後、処理制御部４の制御により、スキャナ部２５が、上記認識された領域範囲に対応した第１面１１の領域を介し、読み取り対象物２に記録された画像Ｒのうちの指定した画像部分Ｒ１（五十音表の「か」の段から「ほ」の段までの部分）を走査して読み取り、対応する画像情報を生成する。生成された画像情報、すなわち五十音表の「か」の段から「ほ」の段までの部分Ｒ１の文字は、図６に示すように、第２面１２に表示される。読み取り対象物２は、上記読み取りが終了したら、読み取り装置１から取り去ることができる。
【００２５】
そして、操作者が、上記生成された画像情報に対しコメントを追加したい場合には、読み取り装置１の上記コメントボタン５ｃを押すことにより、第２面１２に表示された文字の余白部、図では左側の部分にコメント欄１５が区画される。これにより、操作者が、指先やペンでコメント欄１５にコメントを書き入れることができる。すなわち、操作者が指先やペンでコメント欄１５に対し接触操作すると、処理制御部４よって当該操作が検出され、当該検出結果に応じたコメントの文字認識が行われる。そして、処理制御部４の制御により、第２面１２に、上記認識されたコメントの文字が表示される。この例では、「○○月××日△△にてスキャン」の文字Ｃ１がコメント内容として表示されている。
【００２６】
なお、上記のようにして認識された文字に対応したテキスト情報（すなわち、「○○月××日△△にてスキャン」のテキストデータ）はさらに、処理制御部４によって、上記生成された画像情報に対して適宜の関連づけ（例えば同一フォルダへの格納）によって追加される。あるいは、上記生成された画像情報と合成するようにしてもよい。このようにしてコメントのテキスト情報が追加された（または合成された）画像情報は、処理制御部４のメモリに記憶されるとともに、読み取り装置１の外部接続部６に接続されたプリンタあるいはパーソナルコンピュータ等の外部機器へ出力される。
【００２７】
上記手法を実行するために処理制御部４のＣＰＵ２０が実行する制御内容を、図７を用いて説明する。
【００２８】
操作者は、読み取り処理を行うにあたり、装置本体１０の第１面１１が読み取り対象物２に対向するように読み取り対象物２をセットする。前述したように、この状態で、操作者は、装置本体１０の第２面１２側から、第２面１２及び第１面１１越しに、読み取り対象物２、特に記録された画像Ｒを視認することができる。そして、操作者が、例えば読み取り装置１の電源スイッチ５ａをオンすることにより、図７のフローが開始される。
【００２９】
まず、ステップＳ５において、ＣＰＵ２０は、第２面１２に対する接触操作の検出を行う。なお、このステップＳ５の手順が各請求項記載の操作検出手段として機能する。
【００３０】
その後、ステップＳ１０で、ＣＰＵ２０は、ステップＳ５の検出結果に基づき、操作者が指先やペンにより第２面１２上に接触操作したか否かを判定する。接触操作がない場合は判定が満たされず、ステップＳ５に戻り上記同様の手順を繰り返す。前述したように、操作者が、第２面１２側から視認された画像Ｒのうち自らが読み取りを行いたい部分を接触操作すると、ステップＳ１０の判定が満たされ、ステップＳ１５に移る。
【００３１】
ステップＳ１５では、ＣＰＵ２０は、上記ステップＳ５及びステップＳ１０での接触操作の検出結果に基づき、上記操作された範囲（上記操作者が読み取りを行いたい部分に相当）を領域範囲として認識する。なお、このステップＳ１５の手順が各請求項記載の領域認識手段として機能する。
【００３２】
その後、ステップＳ２０で、ＣＰＵ２０は、第２面１２に制御信号を出力して、認識された領域範囲を囲むような枠１３を第２面１２に表示させる（上記図３参照）。これにより、操作者は自らの意図する部分が認識されたことを確認することができる。なお、このステップＳ２０の手順が各請求項記載の第１表示制御手段として機能する。
【００３３】
そして、ステップＳ２５において、ＣＰＵ２０は、読み取り開始ボタン５ｂを介し操作者により読み取り動作の開始を指示する操作指示があったか否かを判定する。操作者が読み取り開始ボタン５ｂの押さなければ判定が満たされず、ステップＳ５に戻って上記同様の手順を繰り返す。操作者が、読み取り開始ボタン５ｂを押すと判定が満たされ、ステップＳ３０に移る。
【００３４】
ステップＳ３０では、ＣＰＵ２０は、第２面１２に制御信号を出力して、第２面１２の全面にマスキング表示１４を行わせる（上記図４参照）。これにより、操作者が指定した領域範囲に基づく読み取りの際、光の乱反射を最小限に抑制し、読み取り精度の低下を防止することができる。なお、このステップＳ３０の手順が各請求項記載の第２表示制御手段として機能する。
【００３５】
その後、ステップＳ３５で、ＣＰＵ２０は、スキャナ部２５に制御信号を出力して、第１面１１のうちステップＳ１５で認識された領域範囲に対応した領域を介して、読み取り対象物２に記録された画像Ｒのうちの指定した画像部分Ｒ１を読み取り、対応する画像情報を生成する。その後、ステップＳ４０に移る。
【００３６】
ステップＳ４０では、ＣＰＵ２０は、第２面１２に制御信号を出力して、ステップＳ３５での読み取りにより生成された画像情報を第２面１２に表示する。その後、ステップＳ４５に移る。
【００３７】
ステップＳ４５では、ＣＰＵ２０は、操作者によりコメントボタン５ｃが押されたか否かを判定する。操作者がコメントボタン５ｃを押さなければ判定が満たさず、後述のステップＳ７５に移る。操作者がコメントボタン５ｃを押すと判定が満たされ、ステップＳ５０に移る。
【００３８】
ステップＳ５０では、ＣＰＵ２０は、操作者による、第２面１２に表示されたコメント欄１５に対する指先やペンを用いた接触操作を検出する。その後、ステップＳ５５に移る。なお、このステップＳ５０の手順が各請求項記載の操作検出手段として機能する。
【００３９】
ステップＳ５５では、ＣＰＵ２０は、上記接触操作の検出結果に応じたコメントの文字認識を行う。その後、ステップＳ６０に移る。なお、上記ステップＳ５５の手順が各請求項記載の文字認識手段として機能する。
【００４０】
ステップＳ６０では、ＣＰＵ２０は、第２面１２に制御信号を出力して、第２面１２のコメント欄１５にステップＳ５５で認識された文字を表示させる。その後、ステップＳ６５に移る。なお、このステップＳ６０の手順が各請求項記載の第３表示制御手段として機能する。
【００４１】
ステップＳ６５では、ＣＰＵ２０は、操作者による第２面１２のコメント欄１５へのコメントの書き込みが完了したか否か（具体的には、例えばコメントボタン５ｃを再度押したかどうか）を判定する。操作者によりコメントボタン５ｃがまだ押されていなければ判定が満たされず、ステップＳ５０に戻り、同様の手順を繰り返す。操作者によるコメントの書き込みが完了して、操作者がコメントボタン５ｃを再度押した場合には判定が満たされ、ステップＳ７０に移る。
【００４２】
ステップＳ７０では、ＣＰＵ２０は、ステップＳ５５で文字認識されたコメントの文字に対応するテキスト情報を、ステップＳ３５での読み取りで生成された画像情報に対し適宜の関連づけ（例えば同一フォルダへの格納）によって追加する。あるいはテキスト情報を上記画像情報と合成してもよい。これにより、コメントのテキスト情報と関連づけられた（あるいは合成された）画像情報を生成する。なお、このステップＳ７０の手順が各請求項記載のテキスト処理手段として機能する。
【００４３】
ステップＳ７５では、ＣＰＵ２０は、ステップＳ７０でテキスト情報と関連づけられた（合成された）画像情報を、読み取り装置１の外部接続部６に接続されたプリンタあるいはパーソナルコンピュータ等の外部機器２４へ出力する。その後、このフローを終了する。
【００４４】
以上説明したように、本実施形態の読み取り装置１は、読み取り時に読み取り対象物２側に配置される第１面１１と読み取り時に操作者側に位置する第２面１２とを備えた、装置本体１０を有し、第１面１１、第２面１２は透明材料で構成されている。これにより、装置本体１０の第１面１１を読み取り対象物２に対向して配置した状態で、操作者は、その反対側に配置された第２面１２側から、当該第２面１２及び上記第１面１１越しに、読み取り対象物２、特に記録された画像Ｒを視認することができる。この視認した状態で、操作者は、上述したようにして、第２面１２に対し指先やペンなどを接触させ、上記視認された画像Ｒのうち自らが読み取りを行いたい部分Ｒ１を示す操作（例えば当該部分を囲む操作）を行う。これにより、当該接触操作の検出結果に基づき上記読み取りを行いたい部分Ｒ１が領域範囲として認識される。その後、スキャナ部２５が、上記認識された領域範囲に対応した第１面１１の領域を介し、読み取り対象物２に記録された画像Ｒの読み取りを行いたい部分Ｒ１を読み取る。
【００４５】
このように、本実施形態においては、透明材料で構成された第１面１１、第２面１２越しに読み取り対象物２を視認しつつ、接触操作によって読み取り実行領域の設定を行い、画像読み取りを行うことができる。この結果、従来構造のように画像読み取りの前にその都度プレビュー動作を行う必要がなくなるので、操作労力の低減及び読み取り処理の迅速化を図ることができる。
【００４６】
また、本実施形態では特に、スキャナ部２５による読み取り動作の開始を操作指示するための読み取り開始ボタン５ｃを有する。これにより、操作者は、第１面１１において自らの意図する部分が認識されたことを確認した後、読み取り開始ボタン５ｃを操作して読み取り動作を実行させることができる。
【００４７】
また、本実施形態では特に、読み取り開始ボタン５ｃにより読み取り動作の開始の操作指示があった場合に、処理制御部４の制御により、第２面１２の全面にマスキング表示１４が行われる。これにより、スキャナ部２５が、操作者が指定した領域範囲に基づく読み取りを行う際、光の乱反射を最小限に抑制し、読み取り精度の低下を防止することができる。
【００４８】
さらに、本実施形態では特に、操作検出結果に応じた文字認識が行われ、処理制御部４の制御により、第２面１２において上記認識された文字が表示される（ステップＳ６０参照）。そして、上記認識された文字に対応したテキスト情報が、ステップＳ７０において画像情報に対し対応づけられる（又は合成される）。これにより、操作者は、読み取り対象物２のうち自らの意図する部分の読み取り動作を実行させるとき、当該読み取り結果の画像情報に対し所望のコメントや情報等をテキスト情報として追加したり合成することができる。この結果、操作者にとっての利便性をさらに向上することができる。
【００４９】
なお、本発明は、上記実施形態に限られるものではなく、その趣旨及び技術的思想を逸脱しない範囲内で種々の変形が可能である。
【００５０】
例えば、上記図７のステップＳ４５〜ステップＳ６５において、操作者により入力されたコメントの文字を認識し、ステップＳ７０でその認識結果を画像情報と対応づけるようにしたが、これに限られない。すなわち、画像情報に対応づけるものを、上記コメントのような文字に限られず、操作者が指先やペンを用いた接触操作でフリーハンドで第２面１２に書いた、手書きやイラスト等の軌跡を上記ステップＳ５５でＣＰＵ２０が認識するようにしてもよい（軌跡認識手段としての機能）。この場合、ＣＰＵ２０が第２面１２に制御信号を出力することにより（第４表示制御手段としての機能）、上記ステップＳ６０で、上記認識された軌跡が第２面１２に表示される。そして、上記ステップＳ６５を経てステップＳ７０で、上記ステップＳ５５で認識されたイラスト等の軌跡に対応する情報（イメージ情報）を、ステップＳ３５での読み取りで生成された画像情報に対し適宜の関連づけ（例えば同一フォルダへの格納）によって追加する。あるいはテキスト情報を上記画像情報と合成してもよい。これにより、手書きやイラスト等のイメージ情報と関連づけられた（あるいは合成された）上記画像情報が生成される。これにより、操作者にとっての利便性をさらに向上することができる。
【００５１】
また例えば、上記読み取り装置１の構成を、パソコン等の操作端末に接続されて動作するスキャナに適用し、読み取り動作を操作端末側の操作指示により開始するようにしてもよい。この場合も、上記同様の効果を得る。
【００５２】
なお、以上において、図７に示すフローチャートは本発明を上記フローに示す手順に限定するものではなく、発明の趣旨及び技術的思想を逸脱しない範囲内で手順の追加・削除又は順番の変更等をしてもよい。
【００５３】
その他、一々例示はしないが、本発明は、その趣旨を逸脱しない範囲内において、種々の変更が加えられて実施されるものである。
【符号の説明】
【００５４】
１              読み取り装置
２              読み取り対象物
３              筐体
４              処理制御部
５ｂ            読み取り開始ボタン
５ｃ            コメントボタン
１０            装置本体
１１            第１面
１２            第２面（表示手段）
１３            枠
１４            マスキング表示
１５            コメント欄
２０            ＣＰＵ
２５            スキャナ部（読み取り手段）
【図１】
2012231328.tif 000003
【図２】
2012231328.tif 000004
【図３】
2012231328.tif 000005
【図４】
2012231328.tif 000006
【図５】
2012231328.tif 000007
【図６】
2012231328.tif 000008
【図７】
2012231328.tif 000009
【手続補正書】
【提出日】平成23年5月11日(2011.5.11)
【手続補正１】
【補正対象書類名】明細書
【補正対象項目名】０００４
【補正方法】変更
【補正の内容】
【０００４】
【特許文献１】特開平５−１００６４５号公報